(57)【要約】【課題】医用レポートの作成にかかる負荷を軽減すること。【解決手段】実施形態に係る医用レポート作成装置は、過去に作成された医用レポートを取得する取得部と、前記過去の医用レポートに基づいて今回の医用レポートのテンプレートを作成し、前記今回の医用レポートのテンプレートと共に、前記今回レポートにおいて更新すべき更新対象を識別可能にディスプレイに表示させる作成部と、を備え、前記作成部は、前記今回の医用レポートのテンプレートに含まれるデータの中から、前記更新対象を特定する特定部と、更新対象の種類と当該更新対象を更新する更新手段と当該更新手段が自動更新可能か否かを表す自動更新可否情報とが対応付けられた情報を参照して、前記今回の医用レポートにおいて前記特定した更新対象の自動更新が可能か否かを判定する判定部と、を備える。【選択図】図２
2020123109.tif 000002
【特許請求の範囲】
【請求項１】
過去に作成された医用レポートを取得する取得部と、
前記過去の医用レポートに基づいて今回の医用レポートのテンプレートを作成し、前記今回の医用レポートのテンプレートと共に、前記今回の医用レポートにおいて更新すべき更新対象を識別可能に表示部に表示させる作成部と、
を備え、
前記作成部は、
前記今回の医用レポートのテンプレートに含まれるデータの中から、前記更新対象を特定する特定部と、
更新対象の種類と当該更新対象を更新する更新手段と当該更新手段が自動更新可能か否かを表す自動更新可否情報とが対応付けられた情報を参照して、前記今回の医用レポートにおいて前記特定した更新対象の自動更新が可能か否かを判定する判定部と、
を備える、医用レポート作成装置。
【請求項２】
前記作成部は、
前記判定部が前記特定した更新対象の自動更新が可能ではないと判定した場合、前記特定した更新対象に対応する更新手段をリンク先としてリンクするリンク情報を、前記今回の医用レポートにおいて前記特定した更新対象に付加するリンク処理部、
を更に備える、請求項１に記載の医用レポート作成装置。
【請求項３】
前記作成部は、
前記リンク情報が付加された更新対象に対して、更新が必要である旨を表すメッセージを表示する第１の通知処理部、
を更に備える、請求項２に記載の医用レポート作成装置。
【請求項４】
前記リンク処理部は、前記リンク情報によりリンクされた更新手段を用いて、前記今回の医用レポートにおいて前記リンク情報が付加された更新対象を更新する操作を受け付ける、請求項２又は３に記載の医用レポート作成装置。
【請求項５】
前記作成部は、前記今回の医用レポートにおいて前記リンク情報が付加された更新対象が更新されなかった場合、前記リンク情報が付加された更新対象に対して、更新が不要であるか否かを確認するメッセージを表示する第２の通知処理部、
を更に備える、請求項２〜４のいずれか一項に記載の医用レポート作成装置。
【請求項６】
前記作成部は、前記今回の医用レポートが保存されるときに前記リンク情報によるリンクが行われていない場合、前記リンク情報が付加された更新対象に対して、更新が不要であるか否かを確認するメッセージを表示する第３の通知処理部、
を更に備える、請求項２〜５のいずれか一項に記載の医用レポート作成装置。
【請求項７】
前記作成部は、
前記判定部が前記特定した更新対象の自動更新が可能であると判定した場合、前記特定した更新対象に対応する更新手段を用いて、前記今回の医用レポートにおいて前記特定した更新対象を自動更新する自動更新部、
を更に備える、請求項１〜６のいずれか一項に記載の医用レポート作成装置。
【請求項８】
前記作成部は、
前記自動更新された更新対象に対して、確認が必要である旨を表すメッセージを表示する第４の通知処理部、
を更に備える、請求項７に記載の医用レポート作成装置。
【請求項９】
過去に作成された医用レポートを取得するレポート取得工程と、
前記過去の医用レポートに基づいて今回の医用レポートのテンプレートを作成し、前記今回の医用レポートのテンプレートと共に、前記今回の医用レポートにおいて更新すべき更新対象を識別可能に表示部に表示するレポート作成工程と、
を含み、
前記レポート作成工程は、
前記今回の医用レポートのテンプレートに含まれるデータの中から、前記更新対象を特定する特定工程と、
更新対象の種類と当該更新対象を更新する更新手段と当該更新手段が自動更新可能か否かを表す自動更新可否情報とが対応付けられた情報を参照して、前記今回の医用レポートにおいて前記特定した更新対象の自動更新が可能か否かを判定する判定工程と、
を含む、医用レポート作成方法。
【発明の詳細な説明】
【技術分野】
【０００１】
本発明の実施形態は、医用レポート作成装置及び医用レポート作成方法に関する。
【背景技術】
【０００２】
病院などの医療施設では、病状の経過を観察するために、患者に対して定期的に検査を実施している。読影医は、検査で取得された医用画像データ等を用いて読影を行い、読影レポート（医用レポート）を作成する。例えば、読影医は、患者に対して経過観察のために今回検査を実施したときに医用レポート（今回の医用レポート）を作成する。ここで、読影医は、今回の医用レポートを作成する際に、当該患者に対して過去に検査を実施したときに作成された医用レポート（過去の医用レポート）をコピーする場合がある。
【０００３】
読影医は、過去の医用レポートのコピーを用いる場合、コピーした過去の医用レポートの一部を更新することにより、今回の医用レポートを作成する。この場合、読影医は、今回の医用レポートを作成する際に、更新対象の見落としがないように、更新対象を自身で判断する必要がある。
【先行技術文献】
【特許文献】
【０００４】
【特許文献１】特開２００９−０７０２０１号公報
【特許文献２】特開２００７−１２２６７９号公報
【特許文献３】特開２００９−０８０７３１号公報
【発明の概要】
【発明が解決しようとする課題】
【０００５】
本発明が解決しようとする課題は、医用レポートの作成にかかる負荷を軽減することである。
【課題を解決するための手段】
【０００６】
実施形態に係る医用レポート作成装置は、過去に作成された医用レポートを取得する取得部と、前記過去の医用レポートに基づいて今回の医用レポートのテンプレートを作成し、前記今回の医用レポートのテンプレートと共に、前記今回レポートにおいて更新すべき更新対象を識別可能にディスプレイに表示させる作成部と、を備え、前記作成部は、前記今回の医用レポートのテンプレートに含まれるデータの中から、前記更新対象を特定する特定部と、更新対象の種類と当該更新対象を更新する更新手段と当該更新手段が自動更新可能か否かを表す自動更新可否情報とが対応付けられた情報を参照して、前記今回の医用レポートにおいて前記特定した更新対象の自動更新が可能か否かを判定する判定部と、を備える。
【図面の簡単な説明】
【０００７】
【図１】図１は、本実施形態に係る医用レポート作成装置を含む医用レポート作成システムの構成の一例を示す図である。
【図２】図２は、本実施形態に係る医用レポート作成装置の構成の一例を示す図である。
【図３】図３は、本実施形態に係る医用レポート作成装置による処理の手順を示すフローチャートである。
【図４】図４は、本実施形態に係る医用レポート作成装置による処理を説明するための図である。
【図５】図５は、本実施形態に係る医用レポート作成装置による処理を説明するための図である。
【図６】図６は、本実施形態に係る医用レポート作成装置による処理を説明するための図である。
【図７】図７は、本実施形態に係る医用レポート作成装置による処理を説明するための図である。
【図８】図８は、本実施形態における更新対象提示処理の手順を示すフローチャートである。
【図９】図９は、本実施形態における更新対象提示処理を説明するための図である。
【図１０】図１０は、本実施形態における更新対象提示処理を説明するための図である。
【図１１】図１１は、本実施形態における更新対象提示処理を説明するための図である。
【図１２】図１２は、本実施形態における更新対象提示処理を説明するための図である。
【図１３】図１３は、本実施形態における更新対象提示処理を説明するための図である。
【図１４】図１４は、本実施形態における更新・確認処理の手順を示すフローチャートである。
【図１５】図１５は、本実施形態における更新・確認処理を説明するための図である。
【図１６】図１６は、本実施形態における更新・確認処理を説明するための図である。
【図１７】図１７は、本実施形態における更新・確認処理を説明するための図である。
【図１８】図１８は、本実施形態における保存処理の手順を示すフローチャートである。
【図１９】図１９は、本実施形態における保存処理を説明するための図である。
【発明を実施するための形態】
【０００８】
以下、添付図面を参照して、医用レポート作成装置の実施形態を詳細に説明する。なお、以下、医用レポート作成装置を含む医用レポート作成システムを例に挙げて説明する。図１に示す医用レポート作成システムにおいては、各装置が１台ずつ示されているが、実際にはさらに複数の装置を含むことができる。
【０００９】
図１は、本実施形態に係る医用レポート作成装置１００を含む医用レポート作成システムの構成の一例を示す図である。図１に示す医用レポート作成システムは、病院情報システム（ＨＩＳ：Hospital  Information  System）と、放射線部門情報管理システム（ＲＩＳ：Radiology  Information  System）と、医用画像診断装置３０と、医用画像管理システム（ＰＡＣＳ：Picture  Archiving  and  Communication  System）と、医用レポート作成装置１００と、各種サーバとを備える。
【００１０】
ＨＩＳ、ＲＩＳ、医用画像診断装置３０、ＰＡＣＳ、医用レポート作成装置１００、及び、各種サーバは、例えば、病院内に設置された院内ＬＡＮ（Local  Area  Network）に接続され、所定の装置へ情報を送信すると共に、所定の装置から送信される情報を受信する。なお、ＨＩＳは、院内ＬＡＮに加え、外部のネットワークに接続してもよい。
【００１１】
ＨＩＳは、病院内で発生する情報を管理するシステムである。ＨＩＳは、ＨＩＳサーバ１０を含む。ここで、医療スタッフが病院内の各種業務を遂行するために使用される端末（ＨＩＳ端末）についての記載は省略する。
【００１２】
ＨＩＳサーバ１０は、ＨＩＳにおいて、病院内で発生する情報を管理する。病院内で発生する情報には、患者情報、及び検査オーダ情報等が含まれる。患者情報に含まれる各レコードは、項目として、患者ＩＤ、患者名（氏名）、年齢（生年月日）、性別、身長、体重、及び血液型等を有する。検査オーダ情報に含まれる各レコードは、項目として、検査を識別可能な検査ＩＤ、患者ＩＤ、入院又は外来を表す情報、検査コード、診療科目、検査部位、検査種類、及び検査予定日時等を有する。
【００１３】
検査ＩＤは、検査オーダ情報が入力される際に発行され、例えば１つの病院内で検査オーダ情報を一意に特定するための識別子である。患者ＩＤは、患者毎に付与され、例えば１つの病院内で患者を一意に特定するための識別子である。検査コードは、例えば１つの病院内で規定される、検査を一意に特定するための識別子である。診療科目は、例えば医療において診療の専門分野区分を示すものである。具体的には、診療科目は、内科、及び外科等である。検査部位には、脳、腎臓、肺、及び肝臓等が含まれる。検査種類には、Ｘ線検査、ＣＴ（Computed  Tomography）検査、及びＭＲＩ（Magnetic  Resonance  Imaging）検査等が含まれる。
【００１４】
ＨＩＳサーバ１０は、例えば検査依頼医から検査オーダ情報が入力された場合、入力された検査オーダ情報と、当該検査オーダ情報により特定される患者情報とをＲＩＳに送信する。また、この場合、ＨＩＳサーバ１０は、当該患者情報をＰＡＣＳに送信する。
【００１５】
ＲＩＳは、放射線検査業務に係る検査予約情報を管理するシステムである。ＲＩＳは、ＲＩＳサーバ２０を含む。ここで、例えば放射線技師等が放射線部門の各種業務を遂行するために使用される端末（ＲＩＳ端末）についての記載は省略する。
【００１６】
ＲＩＳサーバ２０は、ＲＩＳにおいて、放射線検査業務に係る情報を管理する。例えば、ＲＩＳサーバ２０は、ＨＩＳサーバ１０から送信される検査オーダ情報を受信し、受信した検査オーダ情報に各種設定情報を付加して集積し、集積した情報を検査予約情報として管理する。具体的には、ＲＩＳサーバ２０は、ＨＩＳサーバ１０から送信される患者情報及び検査オーダ情報を受信した場合、受信した患者情報及び検査オーダ情報に基づいて、医用画像診断装置３０を動作させるために必要な検査予約情報を生成する。検査予約情報には、例えば、検査ＩＤ、患者ＩＤ、検査部位、及び、検査種類等の検査の実施に必要な情報が含まれる。
【００１７】
ＲＩＳサーバ２０は、生成した検査予約情報を医用画像診断装置３０に送信する。
【００１８】
医用画像診断装置３０は、患者を撮影等することにより検査を実施する装置である。医用画像診断装置３０は、例えば、Ｘ線診断装置、Ｘ線コンピュータ断層撮影装置（Ｘ線ＣＴ装置）、磁気共鳴イメージング装置（ＭＲＩ装置）、核医学診断装置、及び超音波診断装置等を含む。なお、医用画像診断装置３０は、モダリティ装置とも呼ぶ。
【００１９】
医用画像診断装置３０は、例えばＲＩＳサーバ２０から送信される検査予約情報に基づいて検査を実施する。そして、医用画像診断装置３０は、検査の実施を表す検査実施情報を生成し、ＲＩＳサーバ２０に送信する。この場合、ＲＩＳサーバ２０は、医用画像診断装置３０から検査実施情報を受信し、受信した検査実施情報を最新の検査実施情報としてＨＩＳサーバ１０及び医用レポート作成装置１００に出力する。ＨＩＳサーバ１０は、最新の検査実施情報を受信し、受信した検査実施情報を管理する。医用レポート作成装置１００は、最新の検査実施情報を受信し、受信した検査実施情報に応じて、後述の医用レポートを作成する。検査実施情報には、検査予約情報（検査ＩＤ、患者ＩＤ、検査部位、及び、検査種類）、及び、検査の実施日等が含まれる。
【００２０】
また、医用画像診断装置３０は、検査の実施において、被検体（患者）を撮影することにより、医用画像データを生成する。医用画像データは、例えばＸ線ＣＴ画像データ、Ｘ線画像データ、ＭＲＩ画像データ、核医学画像データ、及び超音波画像データ等である。医用画像診断装置３０は、生成した医用画像データを例えばＤＩＣＯＭ（Digital  Imaging  and  Communication  in  Medicine）規格に準拠した形式に変換する。すなわち、医用画像診断装置３０は、付帯情報としてＤＩＣＯＭタグが付加された医用画像データを生成する。
【００２１】
付帯情報は、例えば、患者ＩＤ、検査ＩＤ、装置ＩＤ、画像シリーズＩＤ等を含み、ＤＩＣＯＭ規格に従って規格化されている。装置ＩＤは、医用画像診断装置３０を識別するための情報である。画像シリーズＩＤは、医用画像診断装置３０による１回の撮影を識別するための情報であり、例えば、撮影された被検体（患者）の部位、画像生成時刻、スライス厚、スライス位置等を含む。例えば、ＣＴ検査やＭＲＩ検査を行うことにより、複数のスライス位置の各々における断層画像が医用画像データとして得られる。
【００２２】
医用画像診断装置３０は、生成した医用画像データをＰＡＣＳに送信する。ＰＡＣＳは、種々の医用画像データを管理するシステムである。ＰＡＣＳは、ＰＡＣＳサーバ４０を含む。
【００２３】
ＰＡＣＳサーバ４０は、例えば、ＨＩＳサーバ１０から送信された患者情報を受信し、受信した患者情報を管理する。また、ＰＡＣＳサーバ４０は、例えば、医用画像診断装置３０から送信された医用画像データを受信し、受信した医用画像データを患者情報に対応付けて管理する。そして、ＰＡＣＳサーバ４０は、医用レポート作成装置１００からの取得要求に応じた医用画像データを、医用レポート作成装置１００に送信する。なお、ＰＡＣＳサーバ４０に保存された医用画像データには、患者ＩＤ、検査ＩＤ、装置ＩＤ、画像シリーズＩＤ等の付帯情報が付加されている。このため、医用レポート作成装置１００は、患者ＩＤ等を用いた検索を行うことで、必要な患者情報をＰＡＣＳサーバ４０から取得することができる。また、医用レポート作成装置１００は、患者ＩＤ、検査ＩＤ、装置ＩＤ、画像シリーズＩＤ等を用いた検索を行うことで、必要な医用画像データをＰＡＣＳサーバ４０から取得することができる。
【００２４】
また、ＰＡＣＳサーバ４０は、例えば、医用レポート作成装置１００から送信された医用レポートと当該医用レポートに対応する検査実施情報とを受信し、受信した医用レポートと検査実施情報とを対応付けて管理する。医用レポートは、医用レポート作成装置１００により作成される。なお、上述のように、ＰＡＣＳサーバ４０に保存された医用レポートには、検査実施情報が対応付けられ、検査実施情報には、検査ＩＤ、患者ＩＤ、検査部位、検査種類、及び、検査の実施日等が含まれる。このため、医用レポート作成装置１００は、患者ＩＤ、検査ＩＤ等を用いた検索を行うことで、必要な医用レポートをＰＡＣＳサーバ４０から取得することができる。
【００２５】
医用レポート作成装置１００には、医用画像データに基づく画像（医用画像）や医用レポートを自身のディスプレイに表示させるためのビューア（ソフトウェア）がインストールされている。すなわち、医用レポート作成装置１００は、ＰＡＣＳのビューア（以下、画像表示ビューアと記載する）として用いられる。
【００２６】
例えば、医用レポート作成装置１００は、放射線科に配置され、読影医によって操作される。読影医は、医用レポート作成装置１００に表示された医用画像等を用いて読影を行う。
【００２７】
例えば、検査種類がＣＴ検査であり、検査部位が肺である場合、読影医は、医用レポート作成装置１００に表示された医用画像を用いて、腫瘤のサイズを計測する。具体的には、読影医は、当該医用画像を用いて、原発巣の腫瘍の線分長（例えば、長径）を計測値として計測する。そして、読影医は、計測値（原発巣の腫瘍の長径の値）を含む所見等が記入された医用レポートを作成する。
【００２８】
例えば、検査種類がＣＴ検査であり、検査部位が肝臓である場合、読影医は、医用レポート作成装置１００に表示された医用画像を用いて、肝臓の画像の濃度を計測する。例えば、読影医は、当該医用画像を用いて、脂肪肝の判断に利用するために肝臓の画像のＣＴ値を計測値として計測する。そして、読影医は、計測値（肝臓の画像のＣＴ値）を含む所見等が記入された医用レポートを作成する。
【００２９】
ここで、図１に示す各種サーバとしては、臨床アプリケーションサーバ５０、医学辞書サーバ６０、検体検査サーバ７０が挙げられ、医用レポートに記入される所見には、計測値（例えば、原発巣の腫瘍の長径の値）に加えて、他のパラメータが含まれる場合がある。
【００３０】
例えば、臨床アプリケーションサーバ５０には、臨床アプリケーション（プログラム）が実装されていて、臨床アプリケーションは、医用レポート作成装置１００により読み出し可能である。臨床アプリケーションは、計測値を基に計算を行い、その計算結果を臨床解析結果として取得する。例えば、読影医は、医用レポート作成装置１００により読み出された臨床アプリケーションを用いて、計測値（原発巣の腫瘍の長径の値）を基に腫瘤の容積を算出し、算出した腫瘤の容積を臨床解析結果として取得する。そして、読影医は、計測値（原発巣の腫瘍の長径の値）と臨床解析結果（腫瘤の容積）とを含む所見等が記入された医用レポートを作成する。
【００３１】
例えば、医学辞書サーバ６０は、医学辞書として、部位毎に計測値とカテゴリとを対応付ける情報を記憶していて、医学辞書は、医用レポート作成装置１００により読み出し可能である。カテゴリとしては、例えば、癌のステージ等が挙げられる。例えば、読影医は、医用レポート作成装置１００により読み出された医学辞書を参照して、計測値（原発巣の腫瘍の長径の値）に対応する癌のステージを決定する。そして、読影医は、計測値（原発巣の腫瘍の長径の値）と癌のステージとを含む所見等が記入された医用レポートを作成する。
【００３２】
例えば、検体検査サーバ７０は、検体検査として、体重、血圧、脈拍、体温を含むバイタルデータや、血液検査の結果等の情報を、患者ＩＤ、検査ＩＤ等に対応付けて記憶している。このため、医用レポート作成装置１００は、患者ＩＤ、検査ＩＤ等を用いた検索を行うことで、必要な検体検査を検体検査サーバ７０から取得することができる。例えば、読影医は、医用レポート作成装置１００を用いて、患者ＩＤ、検査ＩＤ等に対応する検体検査（例えば、体温）を取得する。そして、読影医は、計測値（原発巣の腫瘍の長径の値）と検体検査（体温）とを含む所見等が記入された医用レポートを作成する。
【００３３】
以下、本実施形態に係る医用レポート作成装置１００の詳細について説明する。図２は、本実施形態に係る医用レポート作成装置１００の構成の一例を示す図である。図２に示すように、医用レポート作成装置１００は、入力インターフェース１１０と、ディスプレイ１２０、１２３と、通信インターフェース１３０と、記憶回路１４０と、処理回路１５０とを有する。
【００３４】
入力インターフェース１１０は、マウス等のポインティングデバイス、キーボード等を有し、医用レポート作成装置１００に対する各種操作の入力を操作者から受け付け、操作者から受け付けた指示や設定の情報を処理回路１５０に転送する。例えば、入力インターフェース１１０は、操作者から、医用画像データの取得要求や画像処理条件等を受け付ける。
【００３５】
ディスプレイ１２０、１２３は、操作者によって参照されるモニタであり、処理回路１５０による制御のもと、画像データを操作者に表示したり、入力インターフェース１１０を介して操作者から各種指示や各種設定等を受け付けるためのＧＵＩ（Graphical  User  Interface）を表示したりする。通信インターフェース１３０は、ＮＩＣ（Network  Interface  Card）等であり、他の装置との間で通信を行う。
【００３６】
上述のように、読影医は、検査で取得された医用画像データ等を用いて読影を行い、医用レポートを作成する。例えば、読影医は、患者に対して経過観察のために今回検査を実施したときに医用レポート（今回の医用レポート）を作成する。ディスプレイ１２３は、例えば、今回の医用レポートを表示するための表示部である。ディスプレイ１２０は、例えば、患者に対して過去に検査を実施したときに作成された医用レポート（過去の医用レポート）のリストや、当該リストから選択された過去の医用レポートを表示するための表示部である。
【００３７】
記憶回路１４０は、例えば、ＲＡＭ（Random  Access  Memory）、フラッシュメモリ（Flash  Memory）等の半導体メモリ素子、又は、ハードディスク、光ディスク等の記憶装置などである。
【００３８】
処理回路１５０は、医用レポート作成装置１００の構成要素を制御する。例えば、処理回路１５０は、図２に示すように、情報取得機能１５１、レポート取得機能１５２、及び、レポート作成機能１５３を実行する。ここで、例えば、処理回路１５０の構成要素である情報取得機能１５１、レポート取得機能１５２、及び、レポート作成機能１５３が実行する各処理機能は、コンピュータによって実行可能なプログラムの形態で記憶回路１４０に記録されている。処理回路１５０は、各プログラムを記憶回路１４０から読み出し、実行することで各プログラムに対応する機能を実現するプロセッサである。換言すると、各プログラムを読み出した状態の処理回路１５０は、図２の処理回路１５０内に示された各機能を有することとなる。ここで、情報取得機能１５１、及び、レポート取得機能１５２は、取得部の一例である。レポート作成機能１５３は、作成部の一例である。
【００３９】
また、レポート作成機能１５３は、特定機能１５４、判定機能１５５、自動更新機能１５６、リンク処理機能１５７、通知処理機能１５８、保存処理機能１５９を含む。特定機能１５４は、特定部の一例である。判定機能１５５は、判定部の一例である。自動更新機能１５６は、自動更新部の一例である。リンク処理機能１５７は、リンク処理部の一例である。通知処理機能１５８は、通知処理部の一例である。保存処理機能１５９は、保存処理部の一例である。
【００４０】
なお、上記説明において用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  GateArray：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【００４１】
以上、本実施形態に係る医用レポート作成装置１００を含む医用レポート作成システムの全体構成について説明した。このような構成のもと、医用レポートの作成にかかる負荷を軽減するために、本実施形態に係る医用レポート作成装置１００では、以下の処理を行う。まず、本実施形態に係る医用レポート作成装置１００では、処理回路１５０は、過去に作成された医用レポートを取得する。そして、処理回路１５０は、過去の医用レポートに基づいて今回の医用レポートのテンプレートを作成し、当該テンプレートと共に、今回の医用レポートにおいて更新すべき更新対象を識別可能に表示部（例えば、ディスプレイ１２３）に表示させる。このように、本実施形態に係る医用レポート作成装置１００では、今回の医用レポートにおいて更新すべき更新対象を識別可能に表示部に表示させるため、読影医は、今回の医用レポートにおいて更新対象を自身で判断する必要がなく、当該更新対象を自身で判断するときの読影医の負担が軽減される。すなわち、本実施形態に係る医用レポート作成装置１００では、更新作業を効率化できる。また、本実施形態に係る医用レポート作成装置１００では、今回の医用レポートを作成する際に、読影医による更新対象の見落としを防止することができる。
【００４２】
図３は、本実施形態に係る医用レポート作成装置１００による処理の手順を示すフローチャートである。図４〜図７は、本実施形態に係る医用レポート作成装置１００による処理を説明するための図である。
【００４３】
図３のステップＳ１０１は、処理回路１５０が記憶回路１４０から情報取得機能１５１に対応するプログラムを呼び出して実行されるステップである。
【００４４】
ステップＳ１０１では、情報取得機能１５１は、最新の検査実施情報（検査ＩＤ、患者ＩＤ、検査部位、検査種類、及び、検査の実施日等）に含まれる患者ＩＤを用いた検索を行うことで、患者情報（患者ＩＤ、患者名（氏名）、年齢（生年月日）、性別、身長、体重、及び血液型等）をＰＡＣＳサーバ４０から取得する。そして、図４に示すように、情報取得機能１５１は、取得した患者情報のうち、例えば、患者ＩＤ「Ｐ１１１１」、氏名「患者太郎」、生年月日「２０００年１月１日生」、及び、性別「男」をディスプレイ１２３に表示させる。また、図４に示すように、情報取得機能１５１は、最新の検査実施情報のうち、例えば、検査の実施日「２０１８年１０月１１日」、及び、検査種類「ＣＴ検査」をディスプレイ１２３に表示させる。
【００４５】
図３のステップＳ１０２、Ｓ１０３は、処理回路１５０が記憶回路１４０からレポート取得機能１５２に対応するプログラムを呼び出して実行されるステップである。
【００４６】
ステップＳ１０２では、レポート取得機能１５２は、最新の検査実施情報に含まれる患者ＩＤを用いた検索を行うことで、複数の過去の医用レポートにそれぞれ対応付けられた複数の検査実施情報をＰＡＣＳサーバ４０から取得する。そして、図５に示すように、レポート取得機能１５２は、取得した複数の検査実施情報を複数の過去の医用レポートのリスト３１０としてディスプレイ１２０の表示領域１２１に表示させる。例えば、レポート取得機能１５２は、当該リスト３１０として、複数の検査実施情報の各々の検査の実施日、検査種類をディスプレイ１２０の表示領域１２１に表示させる。また、図５に示すように、レポート取得機能１５２は、リスト３１０から選択された過去の医用レポートをコピーするためのコピーボタン３２０をディスプレイ１２０の表示領域１２１に表示させる。
【００４７】
ステップＳ１０３では、レポート取得機能１５２は、リスト３１０から選択された過去の医用レポートをディスプレイ１２０の表示領域１２２に表示させる。例えば、図６に示すように、読影医は、入力インターフェース１１０（図２）を操作して、ディスプレイ１２０の表示領域１２１に表示されたリスト３１０が表す複数の検査実施情報のうちの１つの検査実施情報に対して、カーソル１１１を合わせてクリック操作を行う。この場合、当該１つの検査実施情報が選択される。例えば、選択された検査実施情報は、患者に対して今回の検査の直前に実施された検査を表し、ディスプレイ１２０の表示領域１２１には、検査の実施日「２０１８年５月１１日」、及び、検査種類「ＣＴ検査」が表示されている。そして、図６に示すように、レポート取得機能１５２は、選択された検査実施情報に対応付けられた過去の医用レポート３００をＰＡＣＳサーバ４０から取得し、取得した過去の医用レポート３００をディスプレイ１２０の表示領域１２２に表示させる。
【００４８】
図６に示すように、過去の医用レポート３００は、患者情報表示欄３３０、検査実施情報表示欄３４０、及び、登録情報表示欄３５０を含む。患者情報表示欄３３０には、患者情報のうち、例えば、患者ＩＤ「Ｐ１１１１」、氏名「患者太郎」、生年月日「２０００年１月１日生」、及び、性別「男」が表示される。検査実施情報表示欄３４０には、選択された検査実施情報のうち、例えば、検査の実施日「２０１８年５月１１日」、及び、検査種類「ＣＴ検査」が表示される。登録情報表示欄３５０には、過去の医用レポート３００がＰＡＣＳサーバ４０に保存（登録）された登録日「２０１８年５月１１日」、及び、過去の医用レポート３００を作成した読影医（登録者）の氏名「○○」が表示される。
【００４９】
また、図６に示すように、過去の医用レポート３００は、更に、所見表示欄３６０を含む。例えば、所見表示欄３６０には、読影医が医用画像等を用いて読影を行ったときの所見「原発巣の腫瘍の長径は９ｍｍです。肺野全体、縦隔に転移しており、ステージＴ４です。」がテキストデータにより表示される。
【００５０】
また、図６に示すように、過去の医用レポート３００は、更に、マルチメディアデータ表示欄３７０を含む。例えば、マルチメディアデータ表示欄３７０には、マルチメディアデータとして、患者に対する過去の検査時に生成されたキー画像３８０が表示される。キー画像３８０としては、あるスライス位置において病変部位が判り易く表されている断層画像や、あるスライス位置において特に注目すべき部位が表された断層画像等が挙げられ、医用レポート作成装置１００によりＰＡＣＳサーバ４０から取得された医用画像データである。キー画像３８０として選択された医用画像データは、ＪＰＥＧ（Joint  Photographic  Experts  Group）形式やビットマップ形式等の汎用の画像フォーマットに変換されて、過去の医用レポート３００に貼り付けられた状態で表示される。
【００５１】
なお、マルチメディアデータ表示欄３７０には、１つのキー画像３８０が表示されているが、これに限定されない。例えば、マルチメディアデータ表示欄３７０には、スライス位置が異なる複数のキー画像が表示されてもよい。
【００５２】
また、マルチメディアデータ表示欄３７０には、マルチメディアデータとして、キー画像３８０が表示されているが、これに限定されない。例えば、マルチメディアデータ表示欄３７０には、キー画像３８０の他に、キー動画、医学的な文書が記述されたＰＤＦ（Portable  Document  Format）ファイルや、動画ファイル、音声ファイルなどのマルチメディアデータが表示されてもよい。これらのマルチメディアデータには、当該マルチメディアデータをＰＡＣＳサーバ４０から呼び出すためのリンク情報が与えられてもよい。例えば、リンク情報に対してクリック操作が行われた場合、当該マルチメディアデータがＰＡＣＳサーバ４０から呼び出され、画像表示ビューア、動画ビューア、ＰＤＦアプリケーションなどで表示される。
【００５３】
図３のステップＳ１０４〜Ｓ１０８は、処理回路１５０が記憶回路１４０からレポート作成機能１５３に対応するプログラムを呼び出して実行されるステップである。
【００５４】
ステップＳ１０４では、レポート作成機能１５３は、読影医が今回の医用レポートを作成する際に過去の医用レポート３００のコピーを利用するか否かを監視する。具体的には、レポート作成機能１５３は、ディスプレイ１２０の表示領域１２２に過去の医用レポート３００が表示された状態で、ディスプレイ１２０の表示領域１２１に表示されたコピーボタン３２０が操作されるか否かを監視する。
【００５５】
例えば、図７に示すように、読影医は、今回の医用レポートを作成する際に過去の医用レポート３００のコピーを利用する場合（ステップＳ１０４；Ｙｅｓ）、入力インターフェース１１０（図２）を操作して、ディスプレイ１２０の表示領域１２１に表示されたコピーボタン３２０に対して、カーソル１１２を合わせてクリック操作を行う。この場合、ステップＳ１０５（更新対象提示処理）において、レポート作成機能１５３は、ディスプレイ１２０の表示領域１２２に表示された過去の医用レポート３００をコピーして今回の医用レポート２００のテンプレートを作成し、今回の医用レポート２００のテンプレートと共に、今回の医用レポート２００において更新すべき更新対象を識別可能にディスプレイ１２３に表示させる。
【００５６】
図７に示すように、今回の医用レポート２００のテンプレートは、患者情報表示欄２３０、及び、検査実施情報表示欄２４０を含む。患者情報表示欄２３０には、ステップＳ１０１で取得した患者情報が表示される。例えば、患者情報表示欄２３０には、ステップＳ１０１で取得した患者情報のうち、患者ＩＤ「Ｐ１１１１」、氏名「患者太郎」、生年月日「２０００年１月１日生」、及び、性別「男」が表示される。検査実施情報表示欄２４０には、最新の検査実施情報が表示される。例えば、検査実施情報表示欄２４０には、最新の検査実施情報のうち、検査の実施日「２０１８年１０月１１日」、及び、検査種類「ＣＴ検査」が表示される。
【００５７】
また、図７に示すように、今回の医用レポート２００のテンプレートは、更に、所見表示欄２６０を含む。所見表示欄２６０には、過去の医用レポート３００の所見表示欄３６０により表示されたテキストデータである所見「原発巣の腫瘍の長径は９ｍｍです。肺野全体、縦隔に転移しており、ステージＴ４です。」がコピーされた後に、当該所見（テキストデータ）に対して、更新対象を識別可能にしたデータが表示される。
【００５８】
具体的には、所見表示欄２６０に表示された所見の文字列「９ｍｍ」は、今回の医用レポート２００において更新すべき更新対象であり、当該文字列「９ｍｍ」には、更新対象を識別可能にしたリンク情報２６１が付加される。リンク情報２６１は、ＰＡＣＳサーバ４０にリンクするためのリンク情報である。また、所見表示欄２６０の当該文字列「９ｍｍ」の近傍には、更新対象を識別可能にしたメッセージ２６２「要更新」が表示される。メッセージ２６２「要更新」は、当該文字列「９ｍｍ」を読影医に更新させるためのメッセージである。この処理の詳細については後述する。
【００５９】
また、所見表示欄２６０に表示された所見の文字列「ステージＴ４」は、今回の医用レポート２００において更新すべき更新対象であり、当該文字列「ステージＴ４」には、更新対象を識別可能にしたリンク情報２６３が付加される。リンク情報２６３は、医学辞書サーバ６０にリンクするためのリンク情報である。また、所見表示欄２６０の当該文字列「ステージＴ４」の近傍には、更新対象を識別可能にしたメッセージ２６４「要更新」が表示される。メッセージ２６４「要更新」は、当該文字列「ステージＴ４」を読影医に更新させるためのメッセージである。この処理の詳細については後述する。
【００６０】
また、図７に示すように、今回の医用レポート２００のテンプレートは、更に、マルチメディアデータ表示欄２７０を含む。マルチメディアデータ表示欄２７０には、過去の医用レポート３００のマルチメディアデータ表示欄３７０により表示されたキー画像３８０がコピーされた後に、後述の自動更新により、当該キー画像３８０に代えて、患者に対する今回の検査時に生成されたキー画像２８０が表示される。また、マルチメディアデータ表示欄２７０の当該キー画像２８０内又はその近傍には、更新対象を識別可能にしたメッセージ２８１「要確認」が表示される。メッセージ２８１「要確認」は、当該キー画像２８０を読影医に確認させるためのメッセージである。この処理の詳細については後述する。
【００６１】
ここで、ステップＳ１０２〜Ｓ１０５では、読影医がコピーボタン３２０を操作したときに、レポート作成機能１５３は、ディスプレイ１２０の表示領域１２２に表示された過去の医用レポート３００をコピーしているが、これに限定されない。例えば、ステップＳ１０５において、レポート作成機能１５３は、最新の検査実施情報に含まれる検査ＩＤ、患者ＩＤ、検査部位、検査種類、及び、検査の実施日等を用いた検索を行うことで、自動的に、過去の医用レポート３００をコピーしてもよい（以下、自動コピー処理と記載する）。自動コピー処理が実行される場合、ステップＳ１０２〜Ｓ１０４は実行されない。
【００６２】
例えば、レポート作成機能１５３は、最新の検査実施情報に含まれる検査ＩＤ、患者ＩＤ、検査部位、検査種類、及び、検査の実施日等を用いた検索を行うことで、過去の医用レポート３００をＰＡＣＳサーバ４０から取得することができる。具体的には、上述のように、過去の医用レポートは、当該過去の医用レポートに対応する検査実施情報と共にＰＡＣＳサーバ４０に保存されている。このため、レポート作成機能１５３は、最新の検査実施情報に含まれる検査ＩＤ、患者ＩＤ、検査部位、検査種類、及び、検査の実施日等を用いた検索を行うことで、ＰＡＣＳサーバ４０に保存された過去の医用レポートの中から、最新の検査実施情報に含まれる検査ＩＤ、患者ＩＤ、検査部位、検査種類に対応し、かつ、最新の検査実施情報に含まれる検査の実施日の直前に検査が実施されたときの医用レポート（過去の医用レポート３００）をＰＡＣＳサーバ４０から取得することができる。そして、レポート取得機能１５２は、取得した過去の医用レポート３００をコピーする。
【００６３】
ここで、読影医は、自動コピー処理の実行の有無を選択することもできる。例えば、ディスプレイ１２０の表示領域１２１には、自動コピー処理の実行を解除するチェック欄が表示され、読影医が入力インターフェース１１０を操作して当該チェック欄にチェックを入れた場合、レポート作成機能１５３は、自動コピー処理の実行を無効とする。
【００６４】
次に、ステップＳ１０６（更新・確認処理）において、レポート作成機能１５３は、読影医の操作により更新対象のみを更新することで、今回の医用レポート２００を作成する。この処理の詳細については後述する。
【００６５】
そして、ステップＳ１０７（保存処理）において、レポート作成機能１５３は、読影医が入力インターフェース１１０を用いて保存指示を行った場合、所見表示欄２６０に表示された所見のデータ形式をテキストデータに変換して（すなわち、リンク情報を外して）、今回の医用レポートを作成する。なお、作成した今回の医用レポート２００には、今回の医用レポート２００をＰＡＣＳサーバ４０に保存（登録）する登録日「２０１８年１０月１１日」、及び、今回の医用レポート２００を作成した読影医（登録者）の氏名「○○」を含む登録情報表示欄が新たに設けられる。そして、レポート作成機能１５３は、作成した今回の医用レポート２００をＰＡＣＳサーバ４０に保存（登録）する。具体的には、レポート作成機能１５３は、作成した今回の医用レポート２００と当該今回の医用レポート２００に対応する検査実施情報とをＰＡＣＳサーバ４０に送信する。この場合、ＰＡＣＳサーバ４０は、医用レポート作成装置１００から送信された今回の医用レポート２００と当該今回の医用レポート２００に対応する検査実施情報とを受信し、受信した今回の医用レポート２００と検査実施情報とを対応付けて管理する。この処理の詳細については後述する。
【００６６】
一方、読影医は、今回の医用レポートを作成する際に過去の医用レポート３００のコピーを利用しない場合（ステップＳ１０４；Ｎｏ）、入力インターフェース１１０（図２）を操作して、ディスプレイ１２０の表示領域１２１に表示された新規作成ボタン（図示しない）に対して、カーソルを合わせてクリック操作を行う。この場合、ステップＳ１０８において、レポート作成機能１５３は、所見表示欄２６０及びマルチメディアデータ表示欄２７０が空欄の状態の今回の医用レポートのテンプレートを作成し、ディスプレイ１２３に表示させる。読影医は、所見表示欄２６０に所見の記入や、マルチメディアデータ表示欄２７０にキー画像の貼り付けなどを行って、今回の医用レポートを作成する。なお、作成した今回の医用レポート２００には、今回の医用レポート２００をＰＡＣＳサーバ４０に保存（登録）する登録日「２０１８年１０月１１日」、及び、今回の医用レポート２００を作成した読影医（登録者）の氏名「○○」を含む登録情報表示欄が新たに設けられる。そして、レポート作成機能１５３は、読影医が入力インターフェース１１０を用いて保存指示を行った場合、作成した今回の医用レポートを保存する。具体的には、レポート作成機能１５３は、作成した今回の医用レポートと当該今回の医用レポートに対応する検査実施情報とをＰＡＣＳサーバ４０に送信する。この場合、ＰＡＣＳサーバ４０は、医用レポート作成装置１００から送信された今回の医用レポートと当該今回の医用レポートに対応する検査実施情報とを受信し、受信した今回の医用レポートと検査実施情報とを対応付けて管理する。
【００６７】
図８は、本実施形態における更新対象提示処理（ステップＳ１０５）の手順を示すフローチャートである。図９〜図１３は、本実施形態における更新対象提示処理（ステップＳ１０５）を説明するための図である。
【００６８】
図８のステップＳ２０１は、処理回路１５０が記憶回路１４０からレポート作成機能１５３の特定機能１５４に対応するプログラムを呼び出して実行されるステップである。ステップＳ２０１では、特定機能１５４は、今回の医用レポート２００のテンプレートに含まれるデータ（テキストデータ、マルチメディアデータ）の中から、今回の医用レポート２００において更新すべき更新対象を特定する。すなわち、特定機能１５４は、今回の医用レポート２００のテンプレートの中に、計測値、臨床解析結果、カテゴリ、マルチメディアデータが含まれているか否かを特定する。
【００６９】
まず、特定機能１５４は、今回の医用レポート２００のテンプレートの中に、計測値、臨床解析結果、カテゴリが含まれているか否かを特定する。例えば、特定機能１５４は、今回の医用レポート２００のテンプレートにおいて、所見表示欄２６０内のテキストデータである所見「原発巣の腫瘍の長径は９ｍｍです。肺野全体、縦隔に転移しており、ステージＴ４です。」の中に、計測値、臨床解析結果、カテゴリが含まれているか否かを特定する。ここで、計測値、臨床解析結果、カテゴリの記述の有無を検出する技術としては、自然言語処理による解析が挙げられる。特定機能１５４は、自然言語処理を行うことにより、ある文字列が病変部位の計測値を表す記述であるのか、あるいは、カテゴリを表す記述であるのか、といった情報等を特定することができる。
【００７０】
例えば、図９に示すように、特定機能１５４は、所見表示欄２６０内の所見の文字列「腫瘍の長径は９ｍｍ」により、「９ｍｍ」を腫瘍の計測値の記述として特定する。すなわち、特定機能１５４は、今回の医用レポート２００において更新すべき更新対象として、計測値「９ｍｍ」を特定する。
【００７１】
例えば、図９に示すように、特定機能１５４は、所見表示欄２６０内の所見の文字列「ステージＴ４です。」により、「ステージＴ４」をカテゴリ（癌のステージ）の記述として特定する。すなわち、特定機能１５４は、今回の医用レポート２００において更新すべき更新対象として、カテゴリ「ステージＴ４」を特定する。
【００７２】
次に、特定機能１５４は、今回の医用レポート２００のテンプレートの中に、マルチメディアデータが含まれているか否かを特定する。この場合、特定機能１５４は、今回の医用レポート２００のテンプレートにおいて、マルチメディアデータ表示欄２７０内のマルチメディアデータの有無を確認する。
【００７３】
例えば、図９に示すように、マルチメディアデータ表示欄２７０内にマルチメディアデータとしてキー画像３８０が張りつけられている。このため、特定機能１５４は、今回の医用レポート２００において更新すべき更新対象として、キー画像３８０を特定する。
【００７４】
なお、特定機能１５４は、テキストデータにおいて、計測値、臨床解析結果、カテゴリ等を更新対象としているが、これに限定されない。例えば、特定機能１５４は、テキストデータにおいて、「肥大している」や「縮小している」等の推移を表す記述を、更新対象としてもよい。
【００７５】
図８のステップＳ２０２は、処理回路１５０が記憶回路１４０からレポート作成機能１５３の特定機能１５４に対応するプログラムを呼び出して実行されるステップである。ステップＳ２０２では、特定機能１５４は、テーブルを参照して、特定した更新対象（計測値「９ｍｍ」、カテゴリ「ステージＴ４」、キー画像３８０）を更新するための更新手段を特定する。
【００７６】
具体的には、記憶回路１４０は、図１０に示すテーブル１４１を備えている。テーブル１４１は、図１０に示すように、更新対象の種類と、当該更新対象を更新する更新手段と、当該更新手段が自動更新可能か否かを表す自動更新可否情報と、当該更新手段へのリンク先（インターフェース情報）と、が対応付けられた情報を記憶する。
【００７７】
例えば、テーブル１４１は、更新対象の種類「腫瘍のサイズ（計測値）」と、当該更新対象を更新する更新手段「Ａ社の画像表示ビューア（ＰＡＣＳサーバ４０）」と、当該更新手段における自動更新可否情報「不可」と、当該更新手段へのリンク先（インターフェース情報）と、が対応付けられた情報を記憶する。例えば、テーブル１４１は、更新対象の種類「ＣＴ値（計測値）」と、当該更新対象を更新する更新手段「Ａ社の画像表示ビューア（ＰＡＣＳサーバ４０）」と、当該更新手段における自動更新可否情報「不可」と、当該更新手段へのリンク先（インターフェース情報）と、が対応付けられた情報を記憶する。例えば、特定機能１５４は、テーブル１４１を参照して、所見表示欄２６０内の所見の文字列「腫瘍の長径は９ｍｍ」から特定した更新対象（計測値「９ｍｍ」）を更新するための更新手段として、更新対象の種類「腫瘍のサイズ（計測値）」に対応する更新手段「Ａ社の画像表示ビューア（ＰＡＣＳサーバ４０）」を特定する。
【００７８】
例えば、テーブル１４１は、更新対象の種類「腫瘤の容積（臨床解析結果）」と、当該更新対象を更新する更新手段「Ｂ社のサーバ（臨床アプリケーションサーバ５０）」と、当該更新手段における自動更新可否情報「不可」と、当該更新手段へのリンク先（インターフェース情報）と、が対応付けられた情報を記憶する。例えば、テーブル１４１は、更新対象の種類「癌のステージ（カテゴリ）」と、当該更新対象を更新する更新手段「Ｃ社のサーバ（医学辞書サーバ６０）」と、当該更新手段における自動更新可否情報「不可」と、当該更新手段へのリンク先（インターフェース情報）と、が対応付けられた情報を記憶する。例えば、特定機能１５４は、テーブル１４１を参照して、所見表示欄２６０内の所見の文字列「ステージＴ４です。」から特定した更新対象（カテゴリ「ステージＴ４」）を更新するための更新手段として、更新対象の種類「癌のステージ（カテゴリ）」に対応する更新手段「Ｃ社のサーバ（医学辞書サーバ６０）」を特定する。
【００７９】
例えば、テーブル１４１は、更新対象の種類「キー画像（マルチメディアデータ）」と、当該更新対象を更新する更新手段「Ａ社のサーバ（ＰＡＣＳサーバ４０）」と、当該更新手段における自動更新可否情報「可」と、当該更新手段へのリンク先（インターフェース情報）と、が対応付けられた情報を記憶する。例えば、テーブル１４１は、更新対象の種類「体温（検体検査）」と、当該更新対象を更新する更新手段「Ｄ社のサーバ（検体検査サーバ７０）」と、当該更新手段における自動更新可否情報「可」と、当該更新手段へのリンク先（インターフェース情報）と、が対応付けられた情報を記憶する。例えば、特定機能１５４は、テーブル１４１を参照して、マルチメディアデータ表示欄２７０内のマルチメディアデータから特定した更新対象（キー画像３８０）を更新するための更新手段として、更新対象の種類「キー画像（マルチメディアデータ）」に対応する更新手段「Ａ社のサーバ（ＰＡＣＳサーバ４０）」を特定する。
【００８０】
図８のステップＳ２０３は、処理回路１５０が記憶回路１４０からレポート作成機能１５３の判定機能１５５に対応するプログラムを呼び出して実行されるステップである。ステップＳ２０３では、判定機能１５５は、テーブル１４１を参照して、今回の医用レポート２００において特定した更新対象（計測値「９ｍｍ」、カテゴリ「ステージＴ４」、キー画像３８０）の自動更新が可能か否かを判定する。
【００８１】
例えば、テーブル１４１において、更新対象の種類「腫瘍のサイズ（計測値）」及び更新手段「Ａ社の画像表示ビューア（ＰＡＣＳサーバ４０）」に対応する自動更新可否情報は、「不可」を表している。この場合、判定機能１５５は、テーブル１４１を参照して、特定機能１５４が特定した更新対象（計測値「９ｍｍ」）の自動更新が可能ではないと判定する。
【００８２】
例えば、テーブル１４１において、更新対象の種類「癌のステージ（カテゴリ）」及び更新手段「Ｃ社のサーバ（医学辞書サーバ６０）」に対応する自動更新可否情報は、「不可」を表している。この場合、判定機能１５５は、テーブル１４１を参照して、特定機能１５４が特定した更新対象（カテゴリ「ステージＴ４」）の自動更新が可能ではないと判定する。
【００８３】
例えば、テーブル１４１において、更新対象の種類「キー画像（マルチメディアデータ）」及び更新手段「Ａ社のサーバ（ＰＡＣＳサーバ４０）」に対応する自動更新可否情報は、「可」を表している。この場合、判定機能１５５は、テーブル１４１を参照して、特定機能１５４が特定した更新対象（キー画像３８０）の自動更新が可能であると判定する。
【００８４】
図８のステップＳ２０４は、処理回路１５０が記憶回路１４０からレポート作成機能１５３の自動更新機能１５６に対応するプログラムを呼び出して実行されるステップである。ステップＳ２０４では、判定機能１５５が、特定機能１５４が特定した更新対象（キー画像３８０）の自動更新が可能であると判定した場合、自動更新機能１５６は、当該更新対象（キー画像３８０）に対応する更新手段「Ａ社のサーバ（ＰＡＣＳサーバ４０）」を用いて、当該更新対象（キー画像３８０）を自動更新する。
【００８５】
例えば、自動更新機能１５６は、患者ＩＤ、検査ＩＤ、画像ＩＤ等を用いた検索を行うことで、今回の検査時に生成され、かつ、特定機能１５４が特定した更新対象（キー画像３８０）に対応するキー画像（医用画像データ）をＰＡＣＳサーバ４０から取得することができる。具体的には、上述のように、ＰＡＣＳサーバ４０に保存された医用画像データには、患者ＩＤ、検査ＩＤ、画像ＩＤ等の付帯情報が付加されている。また、上述のように、画像ＩＤは、例えば、撮影された被検体（患者）の部位、画像生成時刻、スライス厚、スライス位置等を含む。このため、自動更新機能１５６は、患者の患者ＩＤ、当該患者に対する今回の検査の検査ＩＤ、及び、当該患者に対する過去の検査時に生成されたキー画像３８０の画像ＩＤ等を用いた検索を行うことで、今回の検査時に生成された医用画像データの中から、過去の検査時に生成されたキー画像３８０のスライス位置に対応するスライス位置におけるキー画像（医用画像データ）をＰＡＣＳサーバ４０から取得することができる。
【００８６】
そして、図１１に示すように、自動更新機能１５６は、特定機能１５４が特定した更新対象（キー画像３８０）を、ＰＡＣＳサーバ４０から取得したキー画像２８０に更新する。すなわち、マルチメディアデータ表示欄２７０には、自動更新により、特定機能１５４が特定した更新対象（キー画像３８０）に代えて、患者に対して今回の検査時に生成されたキー画像２８０が表示される。
【００８７】
なお、自動更新機能１５６は、スライス位置に基づいて、過去の検査時に生成されたキー画像３８０から、今回の検査時に生成されたキー画像を取得しているが、これに限定されない。例えば、自動更新機能１５６は、キー画像３８０が表す部位の形状に基づいて、過去の検査時に生成されたキー画像３８０から、今回の検査時に生成されたキー画像を取得してもよい。
【００８８】
図８のステップＳ２０５は、処理回路１５０が記憶回路１４０からレポート作成機能１５３のリンク処理機能１５７に対応するプログラムを呼び出して実行されるステップである。ステップＳ２０５では、判定機能１５５が、特定機能１５４が特定した更新対象の自動更新が可能ではないと判定した場合、リンク処理機能１５７は、当該更新対象に対応する更新手段をリンク先としてリンクするリンク情報を、当該更新対象に付加する。
【００８９】
例えば、判定機能１５５が、特定機能１５４が特定した更新対象（計測値「９ｍｍ」）の自動更新が可能ではないと判定している。この場合、図１２に示すように、リンク処理機能１５７は、当該更新対象（計測値「９ｍｍ」）に対応する更新手段「Ａ社の画像表示ビューア（ＰＡＣＳサーバ４０）」をリンク先としてリンクするリンク情報２６１を、当該更新対象（計測値「９ｍｍ」）に付加する。すなわち、所見表示欄２６０に表示された所見の文字列「９ｍｍ」には、ＰＡＣＳサーバ４０にリンクするためのリンク情報２６１が付加される。ここで、リンク処理機能１５７は、当該文字列「９ｍｍ」に下線を付したり、当該文字列「９ｍｍ」を黒文字から青文字に変更したりすることにより、今回の医用レポート２００において更新すべき更新対象（計測値「９ｍｍ」）を識別可能に所見表示欄２６０に表示させる。
【００９０】
例えば、判定機能１５５が、特定機能１５４が特定した更新対象（カテゴリ「ステージＴ４」）の自動更新が可能ではないと判定している。この場合、図１２に示すように、リンク処理機能１５７は、当該更新対象（カテゴリ「ステージＴ４」）に対応する更新手段「Ｃ社のサーバ（医学辞書サーバ６０）」をリンク先としてリンクするリンク情報２６３を、当該更新対象（カテゴリ「ステージＴ４」）に付加する。すなわち、所見表示欄２６０に表示された所見の文字列「ステージＴ４」には、医学辞書サーバ６０にリンクするためのリンク情報２６３が付加される。ここで、リンク処理機能１５７は、当該文字列「ステージＴ４」に下線を付したり、当該文字列「ステージＴ４」を黒文字から青文字に変更したりすることにより、今回の医用レポート２００において更新すべき更新対象（カテゴリ「ステージＴ４」）を識別可能に所見表示欄２６０に表示させる。
【００９１】
図８のステップＳ２０６は、処理回路１５０が記憶回路１４０からレポート作成機能１５３の通知処理機能１５８に対応するプログラムを呼び出して実行されるステップである。ステップＳ２０６では、通知処理機能１５８は、リンク情報が付加された更新対象に対して、更新が必要である旨を表すメッセージを表示する。
【００９２】
例えば、図１３に示すように、通知処理機能１５８は、リンク情報２６１が付加された更新対象（計測値「９ｍｍ」）に対して、更新が必要である旨を表すメッセージ２６２「要更新」を表示する。すなわち、所見表示欄２６０の所見の文字列「９ｍｍ」の近傍には、当該文字列「９ｍｍ」を読影医に更新させるためのメッセージ２６２「要更新」が表示される。通知処理機能１５８は、所見表示欄２６０の所見の文字列「９ｍｍ」の近傍にメッセージ２６２「要更新」を表示させることにより、今回の医用レポート２００において更新すべき更新対象（計測値「９ｍｍ」）を識別可能に所見表示欄２６０に表示させる。
【００９３】
例えば、図１３に示すように、通知処理機能１５８は、リンク情報２６３が付加された更新対象（カテゴリ「ステージＴ４」）に対して、更新が必要である旨を表すメッセージ２６４「要更新」を表示する。すなわち、所見表示欄２６０の所見の文字列「ステージＴ４」の近傍には、当該文字列「ステージＴ４」を読影医に更新させるためのメッセージ２６４「要更新」が表示される。通知処理機能１５８は、所見表示欄２６０の所見の文字列「ステージＴ４」の近傍にメッセージ２６４「要更新」を表示させることにより、今回の医用レポート２００において更新すべき更新対象（カテゴリ「ステージＴ４」）を識別可能に所見表示欄２６０に表示させる。
【００９４】
例えば、図１３に示すように、通知処理機能１５８は、自動更新された更新対象（キー画像２８０）に対して、確認が必要である旨を表すメッセージ２８１「要確認」を表示する。すなわち、マルチメディアデータ表示欄２７０の当該キー画像２８０内又はその近傍には、当該キー画像２８０を読影医に確認させるためのメッセージ２８１「要確認」が表示される。通知処理機能１５８は、マルチメディアデータ表示欄２７０の当該キー画像２８０内又はその近傍にメッセージ２８１「要確認」を表示させることにより、今回の医用レポート２００において確認すべき更新対象（キー画像２８０）を識別可能にマルチメディアデータ表示欄２７０に表示させる。
【００９５】
図１４は、本実施形態における更新・確認処理（ステップＳ１０６）の手順を示すフローチャートである。図１５〜図１７は、本実施形態における更新・確認処理（ステップＳ１０６）を説明するための図である。
【００９６】
図１４のステップＳ３０１〜Ｓ３０４、Ｓ３０６〜Ｓ３１０は、処理回路１５０が記憶回路１４０からレポート作成機能１５３の通知処理機能１５８に対応するプログラムを呼び出して実行されるステップである。図１４のステップＳ３０５は、処理回路１５０が記憶回路１４０からレポート作成機能１５３のリンク処理機能１５７に対応するプログラムを呼び出して実行されるステップである。
【００９７】
ステップＳ３０１では、通知処理機能１５８は、更新に対するアクションが行われるか否かを監視する。更新に対するアクションとは、例えば、読影医が、入力インターフェース１１０（図２）を用いて、所見表示欄２６０の所見の文字列「９ｍｍ」、「ステージＴ４」にそれぞれ付加されたリンク情報２６１、２６３、又は、当該文字列「９ｍｍ」、「ステージＴ４」の近傍にそれぞれ表示されたメッセージ２６２、２６４「要更新」に、カーソルを合わせてクリック操作を行うことである。
【００９８】
ステップＳ３０２では、通知処理機能１５８は、更新に対するアクションが行われない場合（ステップＳ３０１；Ｎｏ）、確認に対するアクションが行われるか否かを監視する。確認に対するアクションとは、例えば、読影医が、入力インターフェース１１０を用いて、マルチメディアデータ表示欄２７０のキー画像２８０内又はその近傍に表示されたメッセージ２８１「要確認」に、カーソルを合わせてクリック操作を行うことである。
【００９９】
ステップＳ３０３では、通知処理機能１５８は、確認に対するアクションが行われた場合（ステップＳ３０２；Ｙｅｓ）、メッセージ２８１「要確認」に代えて、読影医によるキー画像２８０の確認が完了した旨を表すメッセージを表示する。例えば、図１５に示すように、読影医が入力インターフェース１１０を用いて、メッセージ２８１「要確認」にカーソル１１３を合わせてクリック操作を行う。この場合、通知処理機能１５８は、メッセージ２８１「要確認」に代えて、読影医によるキー画像２８０の確認が完了した旨を表すメッセージ２８１Ａ「確認完了」を表示する。すなわち、マルチメディアデータ表示欄２７０の当該キー画像２８０内又はその近傍には、メッセージ２８１「要確認」に代えて、メッセージ２８１Ａ「確認完了」が表示される。
【０１００】
なお、通知処理機能１５８は、確認に対するアクションが行われた場合に、メッセージ２８１「要確認」に代えて、メッセージ２８１Ａ「確認完了」を表示しているが、これに限定されない。例えば、通知処理機能１５８は、確認に対するアクションが行われた場合に、メッセージを表示しなくてもよい。すなわち、メッセージ２８１「要確認」の表示を終了してもよい。
【０１０１】
ステップＳ３０４では、通知処理機能１５８は、更新に対するアクションが行われた場合（ステップＳ３０１；Ｙｅｓ）、リンク情報に対するアクションが行われるか否かを監視する。リンク情報に対するアクションとは、例えば、読影医が、入力インターフェース１１０（図２）を用いて、所見表示欄２６０の所見の文字列「９ｍｍ」、「ステージＴ４」にそれぞれ付加されたリンク情報２６１、２６３に、カーソルを合わせてクリック操作を行うことである。
【０１０２】
ステップＳ３０５では、リンク処理機能１５７は、リンク情報に対するアクションが行われた場合（ステップＳ３０４；Ｙｅｓ）、当該リンク情報が表すリンク先（更新手段）にリンクする。例えば、読影医が、入力インターフェース１１０を用いて、所見表示欄２６０の所見の文字列「９ｍｍ」に付加されたリンク情報２６１に、カーソルを合わせてクリック操作を行った場合、リンク処理機能１５７は、リンク情報２６１が表すリンク先（更新手段）にリンクする。そして、リンク処理機能１５７は、リンク情報２６１によりリンクされた更新手段を用いて、今回の医用レポート２００においてリンク情報２６１が付加された更新対象（文字列「９ｍｍ」）を更新する操作を受け付ける。
【０１０３】
具体的には、図１６に示すように、読影医が、入力インターフェース１１０を用いて、所見表示欄２６０の所見の文字列「９ｍｍ」に付加されたリンク情報２６１にカーソル１１４を合わせてクリック操作を行う。この場合、リンク処理機能１５７は、リンク情報２６１が表すリンク先である更新手段「Ａ社の画像表示ビューア（ＰＡＣＳサーバ４０）」にリンクする。
【０１０４】
例えば、リンク処理機能１５７は、患者ＩＤ、検査ＩＤ、画像ＩＤ等を用いた検索を行うことで、今回の検査時に生成された医用画像データをＰＡＣＳサーバ４０から取得することができる。具体的には、上述のように、ＰＡＣＳサーバ４０に保存された医用画像データには、患者ＩＤ、検査ＩＤ、画像ＩＤ等の付帯情報が付加されている。また、上述のように、画像ＩＤは、例えば、撮影された被検体（患者）の部位、解剖学的位置情報、画像生成時刻、スライス厚、スライス位置等を含む。このため、リンク処理機能１５７は、患者の患者ＩＤ、当該患者に対する今回の検査の検査ＩＤ及び画像ＩＤ等を用いた検索を行うことで、今回の検査時に生成された医用画像データ（以下、今回検査時の医用画像データ）の中から、過去検査時の医用画像データにおいて原発巣を表す画像ＩＤと同じ解剖学的位置情報を持つ今回検査時の医用画像データをＰＡＣＳサーバ４０から取得することができる。具体的には、読影医は、過去の検査時に生成された医用画像データのうち、原発巣を表す医用画像データにリンク情報「９ｍｍ」を与えておき、過去検査時の各画像ＩＤと今回検査時の各画像ＩＤとは、解剖学的位置情報（例えば、画像ＩＤ＝１２３は、「肝臓のＳ２領域」など）を有する。これにより、リンク処理機能１５７は、今回検査時の医用画像データのうち、過去検査時と同じ解剖学的位置情報を有する医用画像データをＰＡＣＳサーバ４０から取得することができる。例えば、ＰＡＣＳサーバ４０から取得した医用画像データはディスプレイ（ディスプレイ１２０又はディスプレイ１２３）上に表示される。これにより、リンク処理機能１５７は、更新手段「Ａ社の画像表示ビューア（ＰＡＣＳサーバ４０）」を用いて、今回の医用レポート２００においてリンク情報２６１が付加された更新対象（文字列「９ｍｍ」）を更新する操作を受け付ける。
【０１０５】
そして、読影医は、ディスプレイ上に表示された医用画像データに対して、入力インターフェース１１０を用いて、原発巣の腫瘍の長径を計測する。計測の結果、原発巣の腫瘍の長径が、過去（前回）の検査では「９ｍｍ」であったが、今回の検査においては「１０ｍｍ」に変わったものとする。この場合、図１６に示すように、読影医は、入力インターフェース１１０を用いて、所見表示欄２６０の所見の文字列「９ｍｍ」を文字列「１０ｍｍ」に更新する操作を行う。すなわち、今回の医用レポート２００において、所見表示欄２６０の所見の文字列「９ｍｍ」は、文字列「１０ｍｍ」に更新される。
【０１０６】
ステップＳ３０６では、通知処理機能１５８は、リンク情報に対するアクションが行われたときに（ステップＳ３０４；Ｙｅｓ）、リンク先にリンクされた場合（ステップＳ３０５）に、更新が行われたか否かを確認する。
【０１０７】
ステップＳ３０７では、通知処理機能１５８は、更新が行われた場合（ステップＳ３０６；Ｙｅｓ）、メッセージ２６２、２６４「要更新」に代えて、読影医により更新対象の文字列「９ｍｍ」、「ステージＴ４」が更新された旨を表すメッセージを表示する。例えば、図１６に示すように、所見表示欄２６０の所見の文字列「９ｍｍ」が文字列「１０ｍｍ」に更新される。この場合、通知処理機能１５８は、メッセージ２６２「要更新」に代えて、読影医により更新対象の文字列「９ｍｍ」が更新された旨を表すメッセージ２６２Ａ「更新完了」を表示する。すなわち、所見表示欄２６０の所見の文字列「１０ｍｍ」の近傍には、メッセージ２６２「要更新」に代えて、メッセージ２６２Ａ「更新完了」が表示される。
【０１０８】
なお、通知処理機能１５８は、リンク情報に対するアクションが行われた場合に、メッセージ２６２「要更新」に代えて、メッセージ２６２Ａ「更新完了」を表示しているが、これに限定されない。例えば、通知処理機能１５８は、リンク情報に対するアクションが行われた場合に、メッセージを表示しなくてもよい。すなわち、メッセージ２６２「要更新」の表示を終了してもよい。
【０１０９】
ステップＳ３０８では、通知処理機能１５８は、リンク情報に対するアクションが行われない場合、例えば、図１７に示すように、所見表示欄２６０の所見の文字列「９ｍｍ」の近傍に表示されたメッセージ２６２「要更新」にカーソルを合わせてクリック操作が行われた場合（ステップＳ３０４；Ｎｏ）、確認表示を行う。又は、通知処理機能１５８は、リンク情報に対するアクションが行われたときに（ステップＳ３０４；Ｙｅｓ）、リンク先にリンクされたが（ステップＳ３０５）、更新が行われなかった場合（ステップＳ３０６；Ｎｏ）、確認表示を行う。
【０１１０】
この場合、図１７に示すように、通知処理機能１５８は、リンク情報２６１が付加された更新対象（文字列「９ｍｍ」）に対して、更新が不要であるか否かを確認するメッセージ４１０「更新しなくてもいいですか？」を表示する。メッセージ４１０「更新しなくてもいいですか？」は、ポップアップ画面のように所見表示欄２６０上に重ねて表示される。当該メッセージ４１０は、更新が不要であることを確認するためのボタン４１１と、リンク情報２６１が表すリンク先にリンクするためのボタン４１２とを含む。
【０１１１】
ステップＳ３０９では、通知処理機能１５８は、当該メッセージ４１０のボタン４１１、４１２の操作を監視する。
【０１１２】
ステップＳ３１０では、通知処理機能１５８は、読影医が入力インターフェース１１０を用いて当該メッセージ４１０のボタン４１１を操作した場合（ステップＳ３０９；Ｙｅｓ）、メッセージ２６２、２６４「要更新」に代えて、読影医により更新対象の文字列「９ｍｍ」、「ステージＴ４」を確認したが更新されない旨を表すメッセージを表示する。例えば、計測の結果、原発巣の腫瘍の長径が、過去（前回）の検査では「９ｍｍ」であったが、今回の検査においても「９ｍｍ」であったものとする。そこで、図１７に示すように、読影医が入力インターフェース１１０を用いて当該メッセージ４１０のボタン４１１にカーソル１１５を合わせてクリック操作を行う。この場合、通知処理機能１５８は、メッセージ２６２「要更新」に代えて、読影医により更新対象の文字列「９ｍｍ」を確認したが更新されない旨を表すメッセージ２６２Ｂ「確認完了」を表示する。すなわち、所見表示欄２６０の所見の文字列「９ｍｍ」の近傍には、メッセージ２６２「要更新」に代えて、メッセージ２６２Ｂ「確認完了」が表示される。
【０１１３】
一方、読影医が入力インターフェース１１０を用いて当該メッセージ４１０のボタン４１２を操作した場合（ステップＳ３０９；Ｎｏ）、ステップＳ３０４以降が実行される。すなわち、リンク処理機能１５７は、リンク情報２６１が表すリンク先である更新手段「Ａ社の画像表示ビューア（ＰＡＣＳサーバ４０）」にリンクする。そして、リンク処理機能１５７は、当該更新手段を用いて、今回の医用レポート２００においてリンク情報２６１が付加された更新対象（文字列「９ｍｍ」）を更新する操作を受け付ける。
【０１１４】
図１８は、本実施形態における保存処理（ステップＳ１０７）の手順を示すフローチャートである。図１９は、本実施形態における保存処理（ステップＳ１０７）を説明するための図である。
【０１１５】
図１８のステップＳ４０１、Ｓ４０３は、処理回路１５０が記憶回路１４０からレポート作成機能１５３の保存処理機能１５９に対応するプログラムを呼び出して実行されるステップである。図１８のステップＳ４０２は、処理回路１５０が記憶回路１４０からレポート作成機能１５３の通知処理機能１５８、リンク処理機能１５７に対応するプログラムを呼び出して実行されるステップである。
【０１１６】
ステップＳ４０１では、保存処理機能１５９は、読影医が入力インターフェース１１０を用いて保存指示を行った場合、今回の医用レポート２００のテンプレートにおいて未確認の文字列や画像があるか否かを確認する。
【０１１７】
ステップＳ４０２では、通知処理機能１５８及びリンク処理機能１５７は、今回の医用レポート２００のテンプレートにおいて未確認の文字列や画像がある場合（ステップＳ４０１；Ｙｅｓ）、確認表示処理を行う。例えば、更新・確認処理（ステップＳ１０６）において、読影医は、所見表示欄２６０の所見の文字列「ステージＴ４」に対して、更新に対するアクションを行っていない。具体的には、読影医は、入力インターフェース１１０を用いて、所見表示欄２６０の所見の文字列「ステージＴ４」に付加されたリンク情報２６３、又は、「ステージＴ４」の近傍に表示されたメッセージ２６４「要更新」に、カーソルを合わせてクリック操作を行っていない。
【０１１８】
この場合、図１９に示すように、通知処理機能１５８は、リンク情報２６３が付加された更新対象（文字列「ステージＴ４」）に対して、更新が不要であるか否かを確認するメッセージ４２０「更新しなくてもいいですか？」を表示する。メッセージ４２０「更新しなくてもいいですか？」は、ポップアップ画面のように所見表示欄２６０上に重ねて表示される。当該メッセージ４２０は、更新が不要であることを確認するためのボタン４２１と、リンク情報２６３が表すリンク先にリンクするためのボタン４２２とを含む。
【０１１９】
例えば、読影医が、入力インターフェース１１０を用いて、所見表示欄２６０の所見の文字列「ステージＴ４」に付加されたリンク情報２６３にカーソルを合わせてクリック操作を行う。この場合、リンク処理機能１５７は、リンク情報２６３が表すリンク先である更新手段「Ｃ社のサーバ（医学辞書サーバ６０）」にリンクする。そして、リンク処理機能１５７は、当該更新手段を用いて、今回の医用レポート２００においてリンク情報２６３が付加された更新対象（文字列「ステージＴ４」）を更新する操作を受け付ける。そこで、読影医は、部位毎に計測値とカテゴリとを対応付ける医学辞書を医学辞書サーバ６０から読み出し、読影医は、読み出した医学辞書を参照して、計測値（原発巣の腫瘍の長径の値）に対応する癌のステージを決定する。参照の結果、癌のステージが、過去（前回）の検査では「ステージＴ４」であったが、今回の検査においても「ステージＴ４」であるものとする。この場合、読影医は、所見表示欄２６０の所見の文字列「ステージＴ４」を更新していない。
【０１２０】
したがって、図１９に示すように、所見表示欄２６０上にメッセージ４２０「更新しなくてもいいですか？」が表示された場合、読影医は、入力インターフェース１１０を用いて、当該メッセージ４２０のボタン４２１にカーソル１１６を合わせてクリック操作を行う。通知処理機能１５８は、メッセージ２６４「要更新」に代えて、読影医により更新対象の文字列「ステージＴ４」を確認したが更新されない旨を表すメッセージ２６４Ａ「確認完了」を表示する。すなわち、所見表示欄２６０の所見の文字列「ステージＴ４」の近傍には、メッセージ２６４「要更新」に代えて、メッセージ２６４Ａ「確認完了」が表示される。
【０１２１】
なお、読影医が入力インターフェース１１０を用いて当該メッセージ４２０のボタン４２２を操作した場合、リンク情報２６３が表すリンク先である更新手段「Ｃ社のサーバ（医学辞書サーバ６０）」にリンクする。そして、リンク処理機能１５７は、当該更新手段を用いて、今回の医用レポート２００においてリンク情報２６３が付加された更新対象（文字列「ステージＴ４」）を更新する操作を受け付ける。
【０１２２】
ステップＳ４０３では、読影医が入力インターフェース１１０を用いて保存指示を行ったときに、今回の医用レポート２００のテンプレートにおいて未確認の文字列や画像がない場合（ステップＳ４０１；Ｎｏ）、保存処理機能１５９は、所見表示欄２６０に表示された所見のデータ形式をテキストデータに変換して（すなわち、リンク情報２６１、２６３を外して）、今回の医用レポート２００を作成する。又は、読影医が入力インターフェース１１０を用いて保存指示を行ったときに、ステップＳ４０２の実行により未確認の文字列や画像がない場合、保存処理機能１５９は、所見表示欄２６０に表示された所見のデータ形式をテキストデータに変換して（リンク情報２６１、２６３を外して）、今回の医用レポート２００を作成する。
【０１２３】
なお、作成した今回の医用レポート２００には、今回の医用レポート２００をＰＡＣＳサーバ４０に保存（登録）する登録日「２０１８年１０月１１日」、及び、今回の医用レポート２００を作成した読影医（登録者）の氏名「○○」を含む登録情報表示欄が新たに設けられる。そして、保存処理機能１５９は、作成した今回の医用レポート２００をＰＡＣＳサーバ４０に保存（登録）する。具体的には、保存処理機能１５９は、作成した今回の医用レポート２００と当該今回の医用レポート２００に対応する検査実施情報とをＰＡＣＳサーバ４０に送信する。この場合、ＰＡＣＳサーバ４０は、医用レポート作成装置１００から送信された今回の医用レポート２００と当該今回の医用レポート２００に対応する検査実施情報とを受信し、受信した今回の医用レポート２００と検査実施情報とを対応付けて管理する。
【０１２４】
以上の説明により、本実施形態に係る医用レポート作成装置１００によれば、過去に作成された医用レポートを取得し、過去の医用レポート３００に基づいて今回の医用レポート２００のテンプレートを作成し、当該テンプレートと共に、今回の医用レポート２００において更新すべき更新対象（計測値「９ｍｍ」、カテゴリ「ステージＴ４」、キー画像）を識別可能にディスプレイ１２３に表示させる。このように、本実施形態に係る医用レポート作成装置１００では、今回の医用レポート２００において更新すべき更新対象を識別可能にディスプレイ１２３に表示させるため、読影医は、今回の医用レポート２００において更新対象を自身で判断する必要がなく、当該更新対象を自身で判断するときの読影医の負担が軽減される。すなわち、本実施形態に係る医用レポート作成装置１００では、更新作業を効率化できる。また、本実施形態に係る医用レポート作成装置１００では、今回の医用レポート２００を作成する際に、読影医による更新対象の見落としを防止することができる。
【０１２５】
なお、本実施形態で図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行われる各処理機能は、その全部または任意の一部が、ＣＰＵおよび当該ＣＰＵにて解析実行されるプログラムにて実現され、或いは、ワイヤードロジックによるハードウェアとして実現され得る。
【０１２６】
また、本実施形態で説明した方法は、予め用意されたプログラムをパーソナルコンピュータやワークステーション等のコンピュータで実行することによって実現することができる。このプログラムは、インターネット等のネットワークを介して配布することができる。また、このプログラムは、ハードディスク、フレキシブルディスク（ＦＤ）、ＣＤ−ＲＯＭ、ＭＯ、ＤＶＤ等のコンピュータで読み取り可能な非一時的な記録媒体に記録され、コンピュータによって記録媒体から読み出されることによって実行することもできる。
【０１２７】
以上、説明したとおり、本実施形態によれば、医用レポートの作成にかかる負荷を軽減することができる。
【０１２８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２９】
１００  医用レポート作成装置
１２３  ディスプレイ
１５０  処理回路
１５１  情報取得機能
１５２  レポート取得機能
１５３  レポート作成機能
１５４  特定機能
１５５  判定機能
１５６  自動更新機能
１５７  リンク処理機能
１５８  通知処理機能
【図１】
2020123109.tif 000003
【図２】
2020123109.tif 000004
【図３】
2020123109.tif 000005
【図４】
2020123109.tif 000006
【図５】
2020123109.tif 000007
【図６】
2020123109.tif 000008
【図７】
2020123109.tif 000009
【図８】
2020123109.tif 000010
【図９】
2020123109.tif 000011
【図１０】
2020123109.tif 000012
【図１１】
2020123109.tif 000013
【図１２】
2020123109.tif 000014
【図１３】
2020123109.tif 000015
【図１４】
2020123109.tif 000016
【図１５】
2020123109.tif 000017
【図１６】
2020123109.tif 000018
【図１７】
2020123109.tif 000019
【図１８】
2020123109.tif 000020
【図１９】
2020123109.tif 000021